(57)【要約】【課題】飛越走査信号を順次走査信号に変換する際に、垂直解像度を低下させることなく、かつ動き検出を行うことなく低コストに変換する。【解決手段】倍速飛越走査信号Ｓｉｄを構成する各水平走査信号間に黒レベルＹｂｌｋに応じた一定レベルＹｃｏｎｓｔの補間走査線信号Ｓｉｐを挿入することで順次走査信号５２５ｐを得る。この場合、飛越走査信号５２５ｉそのもの自体のみを使用して順次走査がなされるので、順次走査信号５２５ｐによる表示の画質は、変換前の飛越走査信号５２５ｉによる画質と同一となり、解像度の低下が発生する余地がない、さらに動き検出を行う必要がないので、回路構成が簡単になり、演算処理量及びコストを激減させることができる。【選択図】図１
2006203320.tif 000002
【特許請求の範囲】
【請求項１】
飛越走査信号の順次走査信号への変換方法において、
飛越走査信号の黒レベルを検出し、
前記黒レベルに応じた一定レベルの補間走査信号を生成し、
前記飛越走査信号を倍速化して倍速飛越走査信号を生成し、
前記倍速飛越走査信号を構成する各水平走査信号間に前記補間走査信号を挿入して順次走査信号を生成する
ことを特徴とする飛越走査信号の順次走査信号への変換方法。
【請求項２】
請求項１記載の変換方法において、
前記黒レベルに応じた一定レベルの前記補間走査信号の挿入に伴う前記順次走査信号の輝度の低下を補償するために、前記飛越走査信号の輝度レベルを、前記黒レベルに基づき調整して出力輝度レベルに変換し、
出力輝度レベルに変換された飛越走査信号を倍速化して前記倍速飛越走査信号とする
ことを特徴とする飛越走査信号の順次走査信号への変換方法。
【請求項３】
飛越走査信号の順次走査信号への変換装置において、
飛越走査信号の黒レベルを検出する黒レベル検出回路と、
検出した前記黒レベルに応じた一定レベルの補間走査信号を生成する補間走査信号生成回路と、
前記飛越走査信号を倍速化して倍速飛越走査信号を生成する倍速化回路と、
前記倍速飛越走査信号を構成する各水平走査信号間に前記補間走査信号を挿入して順次走査信号を生成する走査線切替回路と
を有することを特徴とする飛越走査信号の順次走査信号への変換装置。
【請求項４】
請求項３記載の変換装置において、
さらに、
入力信号として前記飛越走査信号と前記黒レベルが供給され、前記倍速化回路に輝度レベル調整後の飛越走査信号を供給する輝度レベル調整回路を備え、
前記輝度レベル調整回路は、前記黒レベルに応じた一定レベルの前記補間走査信号の挿入に伴う前記順次走査信号の輝度の低下を補償するために、前記飛越走査信号の輝度レベルを、前記黒レベルに基づき調整して出力輝度レベルに変換し、前記輝度レベル調整後の飛越走査信号を出力する
ことを特徴とする飛越走査信号の順次走査信号への変換装置。
【発明の詳細な説明】
【技術分野】
【０００１】
この発明は、飛越走査信号の順次走査信号への変換方法及び装置に関し、例えば、順次走査表示装置に適用して好適な飛越走査信号の順次走査信号への変換方法及び装置に関する。
【背景技術】
【０００２】
近時、画質等の向上のために、入力される飛越走査信号を順次走査信号へ変換してディスプレイ上に表示する順次走査表示装置が実用化されている。
【０００３】
このような順次走査表示装置において、例えばＮＴＳＣ飛越走査信号を６０フレーム／秒の順次走査信号に変換する場合、フィールド内の不足する走査線（ラインともいう。）を補間して生成する必要がある。
【０００４】
図４を参照して説明すると、現フィールド内の不足する走査線内の各画素を補間する技術として、同一フィールド内の隣接走査線内の画素Ｐ３、Ｐ４から補間画素Ｐ５を生成するフィールド内補間技術と、前後フィールドの同位置走査線内の画素Ｐ１、Ｐ２から補間画素Ｐ５を生成するフィールド間補間技術がある。
【０００５】
この場合、フィールド内補間技術では、垂直方向の空間解像度が低下して画質が劣化するという問題がある。
【０００６】
また、図５に示すように、フィールド間補間技術においても、映像ソースに動きのある物体が存在すると、偶数フィールドと奇数フィールド間の隣接走査線間でフィールド周期時間に物体が移動する分だけ、動きのある物体の画像１０２にずれが生じて画質が劣化するという問題がある。
【０００７】
これらの画質の劣化を改善しようとして、フィールド内相関及びフィールド間相関を検出し、検出した相関情報をもとにフィールド内補間技術あるいはフィールド間補間技術を選択する技術もある。しかしながら、この技術では、実際に動きを検出する代わりに相関情報を基に動きの有無を判断するため、フレーム内の隣接走査線間の相関がもともと低い画像、例えば動きにより図５に示したようにずれて見えるのではなく、物体自体がもともと図５に示した形状をしている静止物体であるような画像に対しても、相関が低いので動きがあると判断してしまう。すなわち、円形物体が動いて図５の画像１０２になったと判断する場合が発生し、その結果フィールド間補間を選択する必要があるときにフィールド内補間を行ってしまうことで垂直空間解像度の低下による画質劣化が、ずれの部分で発生するという問題が解消されない。
【０００８】
図６は、これらの問題を解決するために提案された従来技術に係る補間走査信号生成装置１０４の構成を示している（特許文献１）。
【０００９】
この補間走査信号生成装置１０４では、飛越走査信号５２５ｉからより正確に動きを検出するための動き検出器１０６を設け、動きを検出して動き係数を算出する。さらに、動き係数の算出と同時に、前後（奇偶）フィールドの飛越走査信号を格納するために直列に接続されるフィールドメモリ１０８、１１０の入出力端間の信号によりフィールド間相関検出器１１６でフィールド間相関係数（相関係数α）を算出するとともに、フィールドメモリ１０８、１１０の接続点と適応補間処理器１１２との間に設けたラインメモリ１１４の入出力によりフィールド内相関検出器１１８でフィールド内相関係数（相関係数β）を算出する。
【００１０】
そして、適応補間処理器１１２により、動き係数及び相関係数α、βに対して適応的に、隣接走査線内の画素Ｐ３、Ｐ４から生成される補間画素値Ｐ５´と、前後フィールドの同位置走査線内の画素Ｐ１、Ｐ２から生成される補間画素値Ｐ５´´の両方の補間画素値Ｐ５´、Ｐ５´´に対して重み付け処理を行って実際の補間画素Ｐ５を決定する。
【００１１】
この図６に示す補間走査信号生成装置１０４の適応補間処理器１１２は、動き係数及び相関係数α、βにより動きがないと判断した場合には、隣接走査線内の画素Ｐ３、Ｐ４から補間するのではなく、同位置走査線内の画素Ｐ１、Ｐ２からの補間を選択することにより、空間解像度の低下による画質の劣化を回避でき、大きな動きがあると判断した場合には、動きによって相関の低くなる同一走査線内の画素Ｐ１、Ｐ２からの補間を用いないで、より相関の高い隣接走査線内の画素Ｐ３、Ｐ４からの補間を選択することにより、図５に示したような画質の劣化を回避することができる。また、微小な動きに対しては、同一走査線内の画素Ｐ１、Ｐ２からの補間値と、隣接走査線内の画素Ｐ３、Ｐ４からの補間値との重み付けの比重を動き係数及び相関係数α、βに応じて変化させることで、上記２つの劣化が視覚上、より目立たないような適応的な処理が可能となる。
【００１２】
【特許文献１】特開２００３−１６９３０１号公報
【発明の開示】
【発明が解決しようとする課題】
【００１３】
ところで、動き検出器１０６により、動きを検出する場合、固定ブロック分割領域のマッチング手法を用いて動き検索を行う技術が一般的である。
【００１４】
しかしながら、この動き検索を行う技術では、図７に示すように、参照画面１３１と現画面１３２において、動き検索ブロック１２２に矢印１２３に示すように動きがあると判断されるため、動き検索ブロック１２２の全領域に渡って、フィールド内補間に重み付けがなされる。この結果、丸い動物体１２４では画質劣化を回避することをできるが、動き検索ブロック１２２内の丸い動物体１２４以外の背景１２６の部分では垂直解像度が低下してしまうという欠点がある。
【００１５】
また、動き検索を行う技術では、図８に示すように、参照画面１４１において、動き検索ブロック１２２のパターンに類似するパターンを有する領域１４４が、本来最もマッチングするはずの領域１４６の近傍に存在している場合、現画面１４２に示すように、実際には動きがないにも拘わらず、動き検索ブロック１２２により矢印１４８だけ動いたと検出される場合がある。すなわち、実際に動きがなくても、ノイズや微小変化により、動き検索ブロック１２２のパターンに類似するパターンを有する領域１４４が、最もマッチングすると判断し、矢印１４８のような動きがあると検出される。この結果、動き検索ブロック１２２の全体に渡って、フィールド内補間に重み付けがなされ、この領域の垂直空間解像度が低下してしまうという欠点がある。
【００１６】
このように固定ブロック分割領域のマッチング手法を用いて動き検索を行う技術では、図７に示したように、動き検出処理に用いられる動き検索ブロック１２２の領域（四角形）と実際の動物体１２４の領域（ハッチングで描いた円形の領域）とが一致しない場合や、図８に示したように、実際の映像の動きと動き検出処理で検出される動きの情報が一致しない場合に、最適な処理が施されない領域が発生し、画質が劣化してしまう。
【００１７】
この欠点を解消するために、この種の動き検索では、検索ブロック領域のサイズを可変としたり、検索ブロック領域をオーバーラップさせたりする手法を組み合わせる等して、小さなブロック単位や画素単位で動きの度合いを検出するという複雑な処理が必要となり、結果として演算処理量が増加するという欠点がある。また、空間解像度低下を抑制するために有効と言われている動き補償処理を用いた場合でも、上記と同様な複雑な演算処理が必要なだけではなく、動き補償自体の演算処理が増加してしまうという欠点がある。
【００１８】
以上詳細に説明したように、従来技術に係る補間走査線信号の作成技術では、フィールド間の情報を用いるためにフィールドメモリの実装及び相関検出と補間値算出処理が不可欠となり、画質劣化を抑制するためには、動きを検索する膨大な演算処理もさらに必要になるという欠点がある。
【００１９】
この発明はこのような課題を考慮してなされたものであり、従来の最良の技術によって得られる画質と同等であって、かつフィールドメモリや膨大な動き検出演算処理を削減することを可能とする飛越走査信号の順次走査信号への変換方法及び装置を提供することを目的とする。
【課題を解決するための手段】
【００２０】
この発明の飛越走査信号の順次走査信号への変換方法は、飛越走査信号の黒レベルを検出し、前記黒レベルに応じた一定レベルの補間走査信号を生成し、前記飛越走査信号を倍速化して倍速飛越走査信号を生成し、前記倍速飛越走査信号を構成する各水平走査信号間に前記補間走査信号を挿入して順次走査信号を生成することを特徴とする。
【００２１】
また、この発明の飛越走査信号の順次走査信号への変換装置は、飛越走査信号の黒レベルを検出する黒レベル検出回路と、検出した前記黒レベルに応じた一定レベルの補間走査信号を生成する補間走査信号生成回路と、前記飛越走査信号を倍速化して倍速飛越走査信号を生成する倍速化回路と、前記倍速飛越走査信号を構成する各水平走査信号間に前記補間走査信号を挿入して順次走査信号を生成する走査線切替回路とを有することを特徴とする。
【００２２】
この発明に係る飛越走査信号の順次走査信号への変換方法及び装置による順次走査信号は、いわゆる空間周波数成分としては、飛越走査信号そのもの自体のみを使用することとなるので、例えば順次走査表示装置上において、飛越走査信号の表示を擬似的に実現でき、順次走査表示装置上に、倍速変換された擬似飛越走査表示画像を表示することができる。この場合、擬似飛越走査表示画像が視覚的に違和感を感じさせない環境、換言すれば、表示面から観測点までの距離により決定する走査線間の垂直視野角が、視覚の空間分解能に対してちらつきを感じさせないほど狭い視野角である環境が満足される場合において、この発明による画質は、変換前の飛越走査信号による画質と同一であり、ノイズの発生や解像度の低下が発生する余地がない。
【００２３】
従来技術による画質は、理想的な補間がなされた場合には、上記環境下において、変換前の飛越走査信号による画質と同等になるが、実際の処理では、補間処理に伴う解像度低下やノイズ成分の発生を完全に抑制することができない。
【００２４】
しかも、この発明では、動きを検出する必要がない。そのため、この発明は、従来技術と同等の画質を維持したまま、従来のノイズ抑制や解像度低下防止に必要であった膨大な演算処理量、回路及びコストを大幅に縮小乃至削減することができる。
【００２５】
なお、黒レベルに応じた一定レベルの補間走査信号の挿入に伴う順次走査信号の、０周波数成分である輝度の低下を補償するために、飛越走査信号の輝度レベルを黒レベルに基づき調整して出力輝度レベルに変換し、出力輝度レベルに変換された飛越走査信号を倍速化して倍速飛越走査信号を得るようにすることで、輝度の低下を補償することができる。
【００２６】
例えば、出力輝度レベルをＹｏ、飛越走査信号の輝度レベルをＹｉ、黒レベルをＹｂｌｋとしたとき、出力輝度レベルＹｏを次の（１）式により算出する。
Ｙｏ＝Ｙｂｌｋ＋（Ｙｉ−Ｙｂｌｋ）×２                      …（１）
【００２７】
このように飛越走査信号の輝度レベルを約２倍に引き上げることで、黒レベルに応じた一定レベルの補間走査信号の挿入に伴う輝度の低下を補償することができる。
【００２８】
なお、黒レベルに応じた一定レベルとは、検出した黒レベルと同一レベルでもよく、デジタル画像のインタフェース規格や装置仕様により決定される基準値を標準黒レベルＹｂｌｋｓｔｄと表現し、黒レベルに応じた一定レベルをＹｃｏｎｓｔと表現するとき、次の（２）式により算出してもよい。
Ｙｃｏｎｓｔ＝Ｙｂｌｋ−ａ×（Ｙｂｌｋ−Ｙｂｌｋｓｔｄ）    …（２）
ただし、（０≦ａ≦１）
【００２９】
また、標準黒レベルＹｂｌｋｓｔｄを利用して、出力輝度レベルＹｏを次の（３）式により算出するようにしてもよい。
Ｙｏ＝Ｙｂｌｋｓｔｄ＋（Ｙｉ−Ｙｂｌｋ）×２                …（３）
【００３０】
この（３）式では、右辺第２項により実データのレベルを２倍にすると同時に、基準とする黒レベルを標準黒レベルＹｂｌｋｓｔｄに置換していることになる。
【００３１】
さらに、一定レベルＹｃｏｎｓｔを利用して、出力輝度レベルＹｏを次の（４）式により算出するようにしてもよい。
Ｙｏ＝Ｙｃｏｎｓｔ＋（Ｙｉ−Ｙｃｏｎｓｔ）×２              …（４）
【００３２】
この（４）式では、実データのレベルを２倍にすると同時に、基準とする黒レベルを理論値と実データから重み付けにより算出された基準に置き換えていることになる。
【発明の効果】
【００３３】
この発明によれば、倍速飛越走査信号を構成する各水平走査信号間に黒レベルに応じた一定レベルの走査線信号を挿入することで順次走査信号を得ている。すなわち、飛越走査信号そのもの自体のみを使用して、順次走査がなされ、順次走査信号による表示の画質は、変換前の飛越走査信号による画質と同一であり、ノイズの発生や解像度の低下が発生する余地がないという効果が達成される。
【００３４】
また、順次走査信号を得るのに、動き検出を行う必要がないので、回路構成が簡単になり、演算処理量及びコストを激減させることができるという効果が達成される。
【発明を実施するための最良の形態】
【００３５】
以下、この発明の実施形態について図面を参照して説明する。
【００３６】
図１は、この発明に係る飛越走査信号の順次走査信号への変換方法を実施する一実施形態に係る飛越走査信号の順次走査信号への変換装置１０の構成を示している。
【００３７】
この変換装置１０では、ＮＴＳＣビデオ信号の分解能８［ビット／画素］のデジタル信号である飛越走査信号５２５ｉが、入力ポート１２に供給され、出力ポート２４から、この飛越走査信号５２５ｉに対して所定の補間処理がなされた順次走査信号５２５ｐが外部に供給される。
【００３８】
入力ポート１２から入力された飛越走査信号５２５ｉは、黒レベル検出回路１４に供給されるとともに、輝度レベル調整回路１６に供給される。
【００３９】
黒レベル検出回路１４は、飛越走査信号５２５ｉの黒レベルＹｂｌｋを検出し、検出した黒レベルＹｂｌｋを補間走査信号生成回路１８と輝度レベル調整回路１６に供給する。
【００４０】
補間走査信号生成回路１８は、黒レベルＹｂｌｋに応じた一定レベルＹｃｏｎｓｔの画素値からなる補間走査信号Ｓｉｐを生成し、走査線切替回路２０の一方の入力ポート２１ｂに供給する。
【００４１】
輝度レベル調整回路１６は、飛越走査信号５２５ｉの輝度レベルＹｉを、黒レベルＹｂｌｋに基づき調整して出力輝度レベルＹｏに変換し、あるいは飛越走査信号５２５ｉの輝度レベルＹｉを、黒レベルＹｂｌｋと標準黒レベルＹｂｌｋｓｔｄに基づいて調整して出力輝度レベルＹｏに変換し、あるいは飛越走査信号５２５ｉの輝度レベルＹｉを、後述の一定レベルＹｃｏｎｓｔに基づいて調整して出力輝度レベルＹｏに変換し、飛越走査信号５２５ｉの輝度レベルＹｉを出力輝度レベルＹｏに変換した飛越走査信号５２５ｉ（Ｙｏ）を倍速化回路２２に供給する。
【００４２】
倍速化回路２２は、飛越走査信号５２５ｉ（Ｙｏ）を倍速化した倍速飛越走査信号Ｓｉｄを走査線切替回路２０の他方の入力ポート２１ａに供給する。
【００４３】
走査線切替回路２０は、飛越走査信号５２５ｉの２倍の周波数で共通ポート２１ｃを入力ポート２１ａ又は入力ポート２１ｂに切り替えることで、倍速飛越走査信号Ｓｉｄの各水平走査信号間に、黒レベルＹｂｌｋに応じた一定レベルＹｃｏｎｓｔの補間走査信号Ｓｉｐを挿入した順次走査信号５２５ｐを生成し、出力ポート２４に供給する。
【００４４】
出力ポート２４に、例えば順次走査方式の表示装置を接続することで、その表示装置上に順次走査信号５２５ｐによる画像（映像）が表示される。
【００４５】
この実施形態に係る変換装置１０は、基本的には、以上のように構成されかつ動作するものであり、次に、動作についてより詳しく説明する。なお、変換装置１０は、個別ＩＣにより製作することができ、またその一部あるいは全部をコンピュータを利用して製作することもできるので、図２のフローチャートを参照しながら説明する。なお、実際には、図２のフローチャートにおいて、ステップＳ１の黒レベル検出処理とステップＳ２の補間走査信号生成処理は、初期時、あるいはフィールド毎等の更新処理時に行われる処理である一方、残りのステップＳ３〜Ｓ５の輝度レベル調整処理・倍速化処理・順次走査信号生成処理は、いずれも画素毎に行われる処理であるので、厳密には、さらに複雑なフローチャートとなるが、ここでは、理解の容易化のため、この簡略化したフローチャートを用いて説明する。
【００４６】
ステップＳ１において、黒レベル検出回路１４により飛越走査信号５２５ｉから黒レベルＹｂｌｋが検出され、輝度レベル調整回路１６と補間走査信号生成回路１８に供給される。
【００４７】
ステップＳ２において、黒レベル検出回路１４により検出した黒レベルＹｂｌｋに応じた一定レベルの補間走査信号Ｓｉｐを補間走査信号生成回路１８で生成する。なお、一定レベルの補間走査信号Ｓｉｐは、実際上、黒レベルに応じた一定レベルＹｃｏｎｓｔを有する画素値である。
【００４８】
一定レベルＹｃｏｎｓｔは、検出した黒レベルＹｂｌｋそのものでもよい（Ｙｃｏｎｓｔ＝Ｙｂｌｋ）。その場合、補間走査信号生成回路１８は不要となり、黒レベル検出回路１４が補間走査信号生成回路１８を兼用することになる。
【００４９】
ここで、黒レベルＹｂｌｋと一定レベルＹｃｏｎｓｔとの関係について説明する。
【００５０】
アナログビデオ信号をＡ／Ｄ変換器によりデジタルビデオ信号に変換する場合、標本値の範囲は、分解能であるビット数により決定される。ビット数が８［ビット／画素］の場合には、最大２５６階調（０〜２５５）表せることから、最小レベルは「０」レベルになる。
【００５１】
しかし、例えばデジタル画像のインタフェース規格ＩＴＵ−Ｒ  ＢＴ．６５６では「０」と「２５５」を予約ビット列としているため、画像信号自体は２５４階調（１〜２５４）の範囲の値となり、最小レベルが「１」になる。また、デジタルテレビジョン放送規格ＩＴＵ−Ｒ  ＢＴ．６０１では、量子化レベルとして、黒レベルが「１６」、白ピークレベルが「２３５」と定義（公称値）されているため、最小レベルは、「１６」になる。
【００５２】
このように、変換装置１０が準拠する標準や勧告、あるいは装置自体の仕様により決定される最小レベルを、ここでは標準黒レベル＝Ｙｂｌｋｓｔｄ（半固定値）と表現する。
【００５３】
この場合、黒レベル検出回路１４は、実質上、飛越走査信号５２５ｉのサンプル値の最小レベルを検出しようとするが、その最小レベルが、準拠する標準や勧告で定まる階調に対してクリッピング処理がなされていたり、実際には、公称値の範囲を超えるレベルを扱っていたり、映像ソースが特殊な場合であったりすると、検出した黒レベルＹｂｌｋと上記した標準黒レベルＹｂｌｋｓｔｄと差がでてくることになる。
【００５４】
この差が最終的に表示装置上で視覚的に無視できる場合には、一定レベルＹｃｏｎｓｔをＹｃｏｎｓｔ＝Ｙｂｌｋとして問題ない。
【００５５】
その一方、この差が無視できない場合には、この差を考慮して、補間走査信号生成回路１８は、一定レベルＹｃｏｎｓｔを、（２）式のように算出する。
Ｙｃｏｎｓｔ＝Ｙｂｌｋ−ａ×（Ｙｂｌｋ−Ｙｂｌｋｓｔｄ）    …（２）
ただし、（０≦ａ≦１）
【００５６】
この（２）式は、理論値と実データからの算出値のどちらに比重を置くのかを重み付け係数ａにより決定するものである。重み付け係数ａがａ＝０の場合には、（２）式の右辺は黒レベルＹｂｌｋの項のみとなる。黒レベルＹｂｌｋは、飛越走査信号５２５ｉから検出しているので、実際の映像の黒レベルを反映するので、ビデオ信号の仕様そのものではなく実データが基準になる。
【００５７】
重み付け係数ａがａ≠０の場合には、右辺の重み付け係数ａ以降の項が有効になる、これは、特殊な映像ソース等を原因として一定レベルＹｃｏｎｓｔが本来の基準から外れるのを補正することで、映像が明るくなったり暗くなったりする影響を抑制する効果がある。
【００５８】
重み付け係数ａの大きさは、この補正効果に影響するため、状況に合わせて適切な重み付けを行うようにする。
【００５９】
ここで、一定レベルＹｃｏｎｓｔには、次の（５）式に示すような上限レベルＹｍａｘが存在する。
Ｙｃｏｎｓｔ＜Ｙｍａｘ                                      …（５）
【００６０】
この上限レベルＹｍａｘは、ビデオ信号の階調、映像装置・表示装置の仕様に依存するので、一意には定まらないが、人間が視覚的に表示装置上で発光していない状態と大差のないレベルと認識する範囲であって、かつ出力輝度レベルＹｏの黒レベル（Ｙｏの最小値）と一定レベルＹｃｏｎｓｔとの輝度差が視覚的に違和感を与えない値である。
【００６１】
次に、ステップＳ３において、黒レベル検出回路１４で検出した黒レベルＹｂｌｋに応じた一定レベルＹｃｏｎｓｔの補間走査信号Ｓｉｐの挿入に伴う順次走査信号５２５ｐの輝度の低下を補償するために、輝度レベル調整回路１６で、飛越走査信号５２５ｉの輝度レベルＹｉを、黒レベルＹｂｌｋに基づき調整して出力輝度レベルＹｏに変換し、飛越走査信号５２５ｉの輝度レベルＹｉを出力輝度レベルＹｏに変換した輝度レベル調整後の飛越走査信号５２５ｉ（Ｙｏ）を出力する。
【００６２】
この場合、出力輝度レベルＹｏは次の（１）式により算出する。
Ｙｏ＝Ｙｂｌｋ＋（Ｙｉ−Ｙｂｌｋ）×２                      …（１）
【００６３】
このように飛越走査信号５２５ｉの輝度レベルＹｉを約２倍に引き上げることで、黒レベルＹｂｌｋに応じた一定レベルの補間走査信号Ｓｉｐの挿入に伴う輝度の低下を補償することができる。
【００６４】
また、出力輝度レベルＹｏは、（１）式に代替して、次の（３）式により算出するようにしてもよい。
Ｙｏ＝Ｙｂｌｋｓｔｄ＋（Ｙｉ−Ｙｂｌｋ）×２                …（３）
【００６５】
この（３）式では、右辺第２項により実データのレベルを２倍にすると同時に、基準とする黒レベルを標準黒レベルＹｂｌｋｓｔｄに置換していることになる。
【００６６】
さらに、一定レベルＹｃｏｎｓｔを利用して、出力輝度レベルＹｏを次の（４）式により算出するようにしてもよい。
Ｙｏ＝Ｙｃｏｎｓｔ＋（Ｙｉ−Ｙｃｏｎｓｔ）×２              …（４）
【００６７】
この（４）式では、実データのレベルを２倍にすると同時に、基準とする黒レベルを理論値と実データから重み付けにより算出された基準に置き換えていることになる。
【００６８】
次にステップＳ４において、出力輝度レベルＹｏに変換された飛越走査信号５２５ｉ（Ｙｏ）を倍速化回路２２で倍速化し、倍速飛越走査信号Ｓｉｄを作成する。倍速化回路２２の必要性について説明する。
【００６９】
入力信号は、飛越走査信号５２５ｉ（Ｙｏ）であるため、飛越走査（偶数フィールド走査信号又は奇数フィールド走査信号）であるが、出力信号は順次走査信号５２５ｐとなるため、出力信号は入力信号に対して走査速度を倍にする必要がある。
【００７０】
なお、走査速度を倍にするための倍速化回路２２は、ラインメモリとそのリードライト制御回路で構成することが可能である。すなわち、ラインメモリへの飛越走査信号５２５ｉ（Ｙｏ）の書き込みは、入力信号である飛越走査信号５２５ｉ（Ｙｏ）の走査速度に合わせて行い、ラインメモリからの読み出しは、出力信号である順次走査信号５２５ｐの走査速度（入力の２倍）に合わせて行い、入力信号と出力信号の走査速度の差は、補間走査信号Ｓｉｐの出力期間、換言すれば、一定画素値の１ライン出力期間で吸収するようにしている。
【００７１】
次に、ステップＳ５において、走査線切替回路２０は、倍速化回路２２から出力される、倍速化飛越走査信号Ｓｉｄを構成する各水平走査信号間に補間走査信号Ｓｉｐが挿入されるように共通ポート２１ｃを入力ポート２１ａ又は入力ポート２１ｂ側に切り替えることで、順次走査信号５２５ｐを生成して出力ポート２４に供給する。
【００７２】
図３は、このようにして生成された順次走査信号５２５ｐに基づく順次走査画面の模式的な表示（順次走査表示）３０を示している。
【００７３】
この順次走査表示３０では、絵柄を示す倍速化飛越走査信号Ｓｉｄを構成する水平走査信号に基づく絵柄３２の間に、補間走査信号Ｓｉｐである一定レベルＹｃｏｎｓｔに対応する黒色の補間走査線３４が挿入された表示が得られる。
【００７４】
この場合、飛越走査信号５２５ｉの絵柄自体の空間周波数成分のみを使用して、順次走査がなされているので、順次走査信号５２５ｐによる順次走査表示３０の画質は、変換前の飛越走査信号５２５ｉによる画質と同一であり、ノイズの発生や解像度の低下が発生する余地がないという効果が達成される。
【００７５】
また、順次走査信号５２５ｐを得るのに動き検出を行う必要がないので、回路構成が簡単になり、演算処理量及びコストを激減させることができるという効果も達成される。
【００７６】
なお、この発明は、上述の実施形態に限らず、この明細書の記載内容に基づき、種々の構成を採り得ることはもちろんである。
【図面の簡単な説明】
【００７７】
【図１】この発明の一実施形態に係る変換装置の構成ブロック図である。
【図２】図１例の動作説明に供されるフローチャートである。
【図３】補間処理後の順次走査信号による表示の説明図である。
【図４】フィールド内補間技術及びフィールド間補間技術の説明図である。
【図５】フィールド間補間技術の問題点の説明図である。
【図６】動き検出を含む従来技術に係る変換装置の構成ブロック図である。
【図７】動き検出に係る補間技術の問題点の説明図である。
【図８】動き検出に係る補間技術の他の問題点の説明図である。
【符号の説明】
【００７８】
１０…変換装置                        １２…入力ポート
１４…黒レベル検出回路                １６…輝度レベル調整回路
１８…補間走査信号生成回路            ２０…走査線切替回路
２２…倍速化回路                      ２４…出力ポート
５２５ｉ…飛越走査信号                ５２５ｐ…順次走査信号
【図１】
2006203320.tif 000003
【図２】
2006203320.tif 000004
【図３】
2006203320.tif 000005
【図４】
2006203320.tif 000006
【図５】
2006203320.tif 000007
【図６】
2006203320.tif 000008
【図７】
2006203320.tif 000009
【図８】
2006203320.tif 000010